(57)【要約】      （修正有）【課題】ビニールハウスにおいて、ビニールシートなどの被覆材をハウスの骨組みに被せて取付け固定するのに用いる被覆材取付け具に関し、保管時その他の取り扱いが簡便かつ安全となり、しかも簡単かつ小型で安価なシート取付け具を実現する。【解決手段】凹溝状のホルダー１の凹溝２中に樹脂シートを帯板状の押さえ板５で押し込んだ状態で、押さえ板５の上に着脱式の板押さえ６を嵌め込み可能な構造とする。板押さえ６は、各種の構成が可能である。【選択図】図２
2005237332.tif 000002
【特許請求の範囲】
【請求項１】
金属製の凹溝状のホルダーの凹溝中に樹脂シートなどのような被覆材を帯板状の押さえ板で押し込んだ状態で、前記押さえ板の上に着脱式の板押さえを嵌め込み可能な構造としたことを特徴とする被覆材取付け具。
【請求項２】
前記のホルダーは、その開口部および／又は両側壁中間部に沿って、内向きの凸条を有していることを特徴とする請求項１に記載の被覆材取付け具。
【請求項３】
前記の板押さえは、線材をＶ字状に折り曲げた形状の弾性体からなり、両端およびＶ字状の折曲部を前記の内向き凸条と溝底部との間に嵌入する構造となっていることを特徴とする請求項１または請求項２に記載の被覆材取付け具。
【請求項４】
前記の板押さえは、Ｖ字状に折り曲げた形状の板材において、両端およびＶ字状折曲部に、前記の内向き凸条が入る逃げ部を有していることを特徴とする請求項１または請求項２に記載の被覆材取付け具。
【請求項５】
前記の板押さえは、立て板状ないし箱状をしており、その両側面に、前記の内向き凸条が入る逃げ部を有していることを特徴とする請求項１または請求項２に記載の被覆材取付け具。
【請求項６】
前記の板押さえは、立て板状ないし箱状をしており、その両側面に、前記の内向き凸条の下側に潜り込む突起を有していることを特徴とする請求項１または請求項２に記載の被覆材取付け具。
【発明の詳細な説明】
【技術分野】
【０００１】
本発明は、野菜や果物などを栽培する園芸に適するビニールハウスなどにおいて、ビニールシートやネットなどの被覆材をハウスの骨組みに被せて取付け固定するのに用いる被覆材取付け具に関する。
【背景技術】
【０００２】
園芸用のビニールハウスのビニールシートやネットを、ハウスの骨組に被せて取付け固定するために一般に使用されている構造は、図１のように、ハウスの骨組側に予め間隔をおいて複数本固定してある長尺のホルダー金具１の凹溝２中にビニールシート３やネットの一部を押し込み、その上から、ジグザグ状に折り曲げた三角波状バネ４を強引に押し込む構造が採用されている。図１の（１）は斜視図、（２）は断面図である。
【０００３】
これに対し、特開2000−245265号公報に記載のように、ホルダーの凹溝中に押し込んだビニールシートを、ヒンジ部を支点にして開閉する構造の止着具で取付け固定する構造も提案されている。
【０００４】
【特許文献１】特開2000−245265
【発明の開示】
【発明が解決しようとする課題】
【０００５】
ところが、図１のような構造では、三角波バネ４のみの保管中に三角波バネ４同士が絡まり合ってしまって、取り扱いが面倒になる。その結果、ホルダー１に装着する前に、三角波バネ４を１本ずつ分離しなければならず、また長い三角波バネ４はばね性が強いため、不意に変形して目などに入る危険もある。さらに、三角波バネ４が強力なため、ホルダー１中に挿入装着したり取り外したりする際の操作が困難で重労働となり、またビニールシートやネットも傷つきやすい。三角波バネ４はジグザグ状に加工する必要があるため、コスト高となり、しかも全長が長く大型となる。
【０００６】
これに対し、前記の特許文献に記載のような構造では、ヒンジ部を支点にして開閉する構造の止着具を用いるため、可動部を有する止着具の構造が複雑で高価となる問題がある。小型で装着は容易にできたとしても、ビニールシートを外すために、一旦装着した止着具を離脱することが困難である。
【０００７】
本発明の技術的課題は、このような問題に着目し、保管時その他の取り扱いが簡便かつ安全となり、しかも簡単かつ小型で安価なシート取付け具を実現することにある。
【課題を解決するための手段】
【０００８】
本発明の技術的課題は次のような手段によって解決される。請求１は、凹溝状のホルダーの凹溝中に樹脂シートを帯板状の押さえ板で押し込んだ状態で、押さえ板の上に着脱式の板押さえを嵌め込み可能な構造としたことを特徴とする樹脂シート取付け具である。このように、凹溝状のホルダーの凹溝中に樹脂シートを帯板状の押さえ板で押し込んだ状態で、押さえ板の上に着脱式の板押さえを嵌め込み可能な構造となっているため、従来のような三角波バネ自体で直接ビニールシートなどを押さえて固定する構造と違って、ビニールシートの取付けが安定良くなり、三角波バネで損傷破損する恐れも少なくなる。また、長く折れ曲がった線材を要しないので、保管状態で絡み合ったりすることもなく、取り扱いも簡便となる。押さえ板の全面でビニールシートを押さえるので、押さえ板を押さえる押さえ器は小型品で足り、しかも間隔をおいて使用すれば足りる。
【０００９】
請求項２は、前記のホルダーは、その開口部および／又は両側壁中間部に沿って、内向きの凸条を有していることを特徴とする請求項１に記載の樹脂シート取付け具である。すなわち、内向きの凸条は、開口部と両側壁中間部の双方に有ってもよいし、いずれか片方のみに有ってもよい。このように、ホルダーは、凹溝部の開口部および／又は両側壁中間部に沿って、内向きの凸条を有している形状をしているので、前記のような帯板状の押さえ板を使用して、開口端にでも中間部にでも、あるいは上下２段にでも取付けることができる。
【００１０】
請求項３は、前記の板押さえは、線材をＶ字状に折り曲げた形状の弾性体からなり、両端およびＶ字状の折曲部を前記の内向き凸条と溝底部との間に嵌入する構造となっていることを特徴とする請求項１または請求項２に記載の樹脂シート取付け具である。このように、線材をＶ字状に折り曲げた形状の弾性体からなる押さえ器を用いることにより、帯板状の押さえ板を取付け固定できる。このＶ状の板押さえは簡易型であり、押さえ板の上で間隔をおいて使用できるので、安価となる。
【００１１】
請求項４は、前記の板押さえは、Ｖ字状に折り曲げた形状の板材において、両端およびＶ字状折曲部に、前記の内向き凸条が入る逃げ部を有していることを特徴とする請求項１または請求項２に記載の樹脂シート取付け具である。このように、Ｖ状の板材の両端およびＶ字状折曲部に、内向き凸条が入る逃げ部を有している簡単な板材であるため、簡易で安価な押さえ器となり、全体として安価な樹脂シート取付け具となる。取り扱い操作も簡便である。
【００１２】
請求項５は、前記の板押さえは、立て板状ないし箱状をしており、その両側面に、前記の内向き凸条が入る逃げ部を有していることを特徴とする請求項１または請求項２に記載の樹脂シート取付け具である。このように、立て板状ないし箱状をしており、その両側面に、内向き凸条が入る逃げ部を有している構成であるため、簡易で安価なだけでなく、装着状態における安定性がよく、その結果、取り扱い操作もより簡便となる。
【００１３】
請求項６は、前記の板押さえは、立て板状ないし箱状をしており、その両側面に、前記の内向き凸条の下側に潜り込む突起を有しいることを特徴とする請求項１または請求項２に記載の樹脂シート取付け具である。このように、立て板状ないし箱状をしており、その両側面に、前記の内向き凸条の下側に潜り込む突起を有しているため、簡単・安価で、装着状態における安定性がよいことに加えて、押さえ板の上で立てた状態で容易に回転して、突起を内向き凸条の下側に潜り込ませることができるほか、側面の突起を中心にして凹溝中に押し倒して収納することもできるので、板押さえが凹溝の上に突出して邪魔になるのを防止できる。
【００１４】
以上のような構成の板押さえは、ホルダーの凹溝から取り外して分解することも容易なため、ハウスの骨組からビニールシートやネットを外す場合の作業も容易である。
【発明の効果】
【００１５】
請求項１のように、凹溝状のホルダーの凹溝中に樹脂シートを帯板状の押さえ板で押し込んだ状態で、押さえ板の上に着脱式の板押さえを嵌め込み可能な構造となっているため、従来のような三角波バネ自体で直接ビニールシートなどを押さえて固定する構造と違って、ビニールシートの取付けが安定良くなり、三角波バネで損傷破損する恐れも少なくなる。また、長く折れ曲がった線材を要しないので、保管状態で絡み合ったりすることもなく、取り扱いも簡便となる。押さえ板の全面でビニールシートを押さえるので、押さえ板を押さえる押さえ器は小型品で足り、しかも間隔をおいて使用すれば足りる。
【００１６】
請求項２のように、ホルダーは、凹溝部の開口部および／又は両側壁中間部に沿って、内向きの凸条を有している形状をしているので、前記のような帯板状の押さえ板を使用して、開口端にでも中間部にでも、あるいは上下２段にでも取付けることができる。
【００１７】
請求項３のように、線材をＶ字状に折り曲げた形状の弾性体からなる押さえ器を用いることにより、帯板状の押さえ板を取付け固定できる。このＶ状の板押さえは簡易型であり、押さえ板の上で間隔をおいて使用できるので、安価となる。
【００１８】
請求項４のように、Ｖ状の板材の両端およびＶ字状折曲部に、内向き凸条が入る逃げ部を有している簡単な板材であるため、簡易で安価な押さえ器となり、全体として安価な樹脂シート取付け具となる。取り扱い操作も簡便である。
【００１９】
請求項５のように、立て板状ないし箱状をしており、その両側面に、内向き凸条が入る逃げ部を有している構成であるため、簡易で安価なだけでなく、装着状態における安定性がよく、その結果、取り扱い操作もより簡便となる。
【００２０】
請求項６のように、立て板状ないし箱状をしており、その両側面に、前記の内向き凸条の下側に潜り込む突起を有しているため、簡単・安価で、装着状態における安定性がよいことに加えて、押さえ板の上で立てた状態で容易に回転して、突起を内向き凸条の下側に潜り込ませることができるほか、側面の突起を中心にして凹溝中に押し倒して収納することもできるので、板押さえが凹溝の上に突出して邪魔になるのを防止できる。
【００２１】
以上のような構成の板押さえは、ホルダーの凹溝から取り外して分解することも容易なため、ハウスの骨組からビニールシートやネットを外す場合の作業も容易である。
【発明を実施するための最良の形態】
【００２２】
次に本発明による樹脂シート取付け具が実際上どのように具体化されるか実施形態を説明する。図２は本発明による樹脂シート取付け具の分解斜視図であり、樹脂シートのホルダー１と帯板状の押さえ板５とこの押さえ板５の押さえ器６からなっている。この押さえ器６は一例であって、各種の形状・構造が可能である。ビニールシートなどの取付けに際しては、ホルダー１の凹溝２中に前記ビニールシート３の一部を押さえ板５で押し込んだ状態で、押さえ板５の上に押さえ器６を押し込むだけである。このとき、押さえ器６の両端以外は、ホルダー１の側壁９中間の内向き凸条７ａの下側に潜り込んだ状態となるので、ホルダー１から容易に離脱することはない。その結果、帯板状の長い押さえ板５の全面でビニールシート３を凹溝２の底板８の上に挟みつけるので、ビニールシートの取付け固定が安定し、損傷の恐れも少ない。なお、押さえ板５は、多少湾曲させた形状とすることによって、弾性を持たせることも可能である。
【００２３】
図３（１）（２）はホルダーの各種実施形態を示す断面図である。（１）は最も簡素な断面形状をしており、互いに向かい合う形状のコ字状の側壁が特徴である。凹溝状部２の開口に内向きの凸条７・７を有している点は図１のホルダーの場合と同様である。そして、図１、図２の凹溝側壁９がほぼＭ字状曲面であるのに対し、図３（１）の凹溝側壁９は平坦状である。使用に際しては、ビニールシート３の上に帯板状の押さえ板５を載せて、凹溝２中に押し込んでから、押さえ板５の上に押さえ器６を嵌め込み、前記の内向き凸条７の下側に潜り込ませる。図２のＶ字状押さえ器６の両端６ａはコ字状又はＵ字状に曲がっており、このコ字状又はＵ字状の窪み６ｂ中に、前記の内向き凸条７が嵌入した格好になっている。
【００２４】
Ｖ字状押さえ器６を押さえ板５の上に嵌め込むには、Ｖ字状の折曲部６Ｖと一端の小さなＶ字状部６ｖを凹溝２の両側の内向き凸条７・７の下側に嵌め込んだ後、Ｖ字状押さえ器６を矢印ａ１、ａ２方向に拡げた状態で、他端の小さなＶ字状部６ｖを凹溝２の対応する内向き凸条７の下側に嵌め込むだけでよい。こうして嵌め込んだ状態では、前記のように、Ｖ字状押さえ器６の両端のコ字状又はＵ字状の窪み６ｂ中に片方の内向き凸条７が入り込んだ格好となる。なお、Ｖ字状押さえ器６は、弾力に富む針金を折り曲げ形成した構成でもよいし、合成樹脂で成型してもよい。あるいは、金属板をプレス形成してもよい。
【００２５】
図３（２）のホルダーは、前記（１）図の側壁９を高くすると共に中間に内向き凸条７ａを形成した格好であり、この中間の内向き凸条７ａの下側に、前記の要領で、ビニールシート３やネット、押さえ板５、押さえ器６の順に挿入し装着する。なお、内向き凸条７ａは、図１、図２の内向き凸条７ａと違って、開口部の内向き凸条７と同程度まで突出させてあるので、押さえ板５などの離脱の恐れは少ない。押さえ器６の両端にコ字状又はＵ字状の曲がり部６ａを設けると、図３（２）のように、ビニールシート３の邪魔になる場合は、この曲がり部６ａの無い形状も可能である。その場合は、簡単な操作治具を用いることによって、押さえ器６のＶ字状の角度を拡げたりできるので、取り扱い操作が特に不便となることはない。なお、曲がり部６ａを有する押さえ器６に代わって、図４に示すようなＶ状板１０を用いると、ビニールシート３の邪魔になる恐れはない。
【００２６】
図４以下は、前記のようにホルダー中に挿入した押さえ板５を固定するために嵌め込む押さえ器であり、前記Ｖ字状押さえ器６以外の各種実施形態を示す。図４の押さえ器１０は、合成樹脂や金属からなる帯板をほぼＶ字状に折り曲げた形状をしている。そして、このＶ状板１０のＶ字状の折曲部と両端に、前記のような内向き凸条７、７ａが嵌入するための逃げ凹部１１、１２を形成してある。使用に際しては、前記のようにホルダーの凹溝部２中にビニールシートを押さえ板５で押し込んでから、押さえ板５の上にＶ状板１０を嵌め込むと、Ｖ状折曲部の逃げ凹部１１中に片方の内向き凸条７、７ａが嵌入し、両端の逃げ凹部１２の中に他方の内向き凸条７、７ａが嵌入する。そして、前記の押さえ器６と同様に、Ｖ状の折曲部が閉じようとする際の弾力によって、ホルダーに保持される。
【００２７】
図５は、このようにしてホルダー中にＶ状板１０でビニールシートを取付けた状態の平面図であり、Ｖ状板１０がほぼ一定の間隔をおいて、装着されている。このＶ状板１０は、ホルダー１に装着する際は、矢印a1、a2方向に押し拡げた状態で嵌め込んでから、矢印a1、a2方向の押し広げ力を解除する。こうして装着した状態では、凹溝底板８との間にはビニールシートと帯板状の長い押さえ板５が介在しているので、これらの弾性作用も相まって、ビニールシートやネットは安定良くホルダー１中に保持される。外す際は、矢印a1、a2方向に押し広げると、容易に逃げ凹部１１、１２を左右の内向き凸条７、７ａから離脱できる。
【００２８】
図６は、立て板状の押さえ器１３であり、ホルダーの凹溝２中に装着した状態である。このように凹溝２中に装着した状態で、左右両端の側面に、前記の内向き凸条７・７ａが嵌入できるように、逃げ凹部１４・１４を形成してある。この立て板状の場合は、前記のようなＶ字状の押さえ器６、１０と違って、Ｖ字状の折曲部が閉じる方向の弾力は発揮できない。そこで、必要に応じて、左右端から中心に向けて切り込み１５・１５を形成し、上下方向の弾力が発生可能にしてある。
【００２９】
そのため、ホルダーの凹溝２中にビニールシート３を押さえ板５で押し込んだ状態で、立て板状の押さえ器１３の下面１６を底板８側に押しつけると、切り込み１５・１５の上下の部分が圧縮された状態で、逃げ凹部１４・１４中に内向き凸条７・７が嵌入する。この状態では、切り込み１５・１５が上下方向に開く方向の弾力が作用するので、立て板状の押さえ器１３の下面１６で押さえ板５が常に底板８側に押しつけられた状態となるので、ビニールシートのホルダーへの取付けがより安定する。図７は、この立て板状の押さえ器１３をホルダー１に装着した状態の平面図であり、ほぼ一定の間隔で装着されている。装着に際しては、立て板状の押さえ器１３を凹溝２中に挿入して押さえ板５の上に立てた状態で矢印ａ方向に約９０度回転して、ホルダー１の長手方向に対し直角の状態にすることによって、逃げ凹部１４・１４中に内向き凸条７・７を嵌入させる。
【００３０】
図６の立て板状の押さえ器１３の板厚ｔは、２〜３ｍｍ程度か、それより多少厚めの板状であるが、その板厚ｔをさらに大きくして、四角柱状ないし四角箱状にしたのが図８の箱状の押さえ器１７である。この押さえ器１７は、中実又は中空の箱形をしており、中空の場合は、下端や上端は開口状態でもよいし閉じた状態でもよい。材質は、樹脂でも金属でもよい。そして、左右両側壁には、内向き凸条７・７が入れるように、逃げ凹部１４・１４を形成してある。また、逃げ凹部１４・１４と下面１６との間には、必要に応じて、上下方向の弾力を増すための切り込み１５・１５を形成してある。
【００３１】
なお、中空の場合、これらの逃げ凹部１４・１４や切り込み１５・１５は開口状態でもよいが、閉じられた状態がよい。この箱形の場合は、図６の立て板状の押さえ器１３の板厚ｔを拡大した寸法ｄにした状態となるため、下面１６が長方形状となり、より広くなる。その結果、ホルダーの凹溝２中に装着したときの安定性が増す。なお、この箱形の押さえ器１７も立て板状の押さえ器１３の場合も、軟質の合成樹脂なとで形成すれば、弾力向上のための切り込み１５・１５は必ずしも必要としない。箱形の押さえ器１７の場合は、中空にすることで、弾力をより向上できる。
【００３２】
図７に示すように、箱形の平面形状は、縦横がＤ×ｄとなる。凹溝２中に挿入するため、「短辺ｄ＜内向き凸条７〜７の間隔Ｗ」となるように設定してある。その結果、立て板状の押さえ器１３の場合と同様に、左右の内向き凸条７と７との間の開口に短辺ｄ側を挿入してから、凹溝底板８側に押しつけながら９０度回転すると、図７に破線で示す箱形の押さえ器１７のように装着できる。立て板状の押さえ器１３および箱形の押さえ器１７においては、内向き凸条７・７ａより上側の部分は操作する際の取っ手として機能する。
【００３３】
図９は倒伏可能な板押さえの実施形態であり、（１）は立て断面図、（２）は側面図である。１８は突起であり、例えばネジの頭あるいはナットの頭のような形状をしている。寸法は直径が３ｍｍ程度が適している。このような突起１８が、前記の立て板状の押さえ器１３や箱形の押さえ器１７の両側面において突出した形状をしている。そして、このような突起１８を有している立て板状の押さえ器１３や箱形の押さえ器１７を押さえ板５の上に挿入して、図７の矢印ａ方向に約９０度回して装着した場合、突起１８が内向き凸条７や７ａのすぐ下側に潜り込むような位置に設けてある。したがって、下面１６が押さえ板５に当接した状態において、（２）図のように、突起１８を中心にして、矢印ａ３又はａ４方向に押し倒すことができる。その結果、立て板状の押さえ器１３や箱形の押さえ器１７が、ホルダー凹溝２の中に横倒しの状態となるので、凹溝２から突出して邪魔になるのを防止できる。立て板状の押さえ器１３や箱形の押さえ器１７と突起１８は合成樹脂製でもよいが、金属製の突起１８を合成樹脂製の立て板状の押さえ器１３や箱形押さえ器１７中にモールド固定した構成も可能である。
【００３４】
図４のＶ状板１０並びに図６の立て板状押さえ器１３、図８、図９の箱形の押さえ器１７の場合は、上側の１点鎖線Ｌ１の位置から上側が存在しない形状にしてもよい。あるいは、下側の２点鎖線Ｌ２の位置から上側が存在しない形状にしてもよい。このような形状にすると、取っ手部分が存在しないため、操作が不便になるが、操作不能となるわけではない。補助具を使用すれば、容易に操作できる。また、ホルダーの内向き凸条７や７ａが嵌入できるため、この点でも問題はない。このように鎖線から上側が存在しない形状の場合は、凹部という表現は適しないが、内向き凸条７や７ａが突起１８の上に嵌入できるような逃げ部として機能することになる。したがって、「逃げ部」という表現が適している。
【００３５】
図３（２）のように、側壁９の中間位置に内向き凸条７ａを有する場合は、この内向き凸条７ａと開口側内向き凸条７との間にも、押さえ板５、ビニールシートやネット、押さえ板５、本発明による板押さえ１３や１７の順に装着してビニールシートを取付けると、シートやネットなどを２枚重ねにする場合にも利用できる。したがって、北風の当たるハウス北側や強風対策のためにシートを二重にする場合に簡便である。
【００３６】
なお、ホルダー１は、その底板８に開けた孔１８を利用して、ハウスの骨組みなどに予めビス止めしておいた状態で、あるいはビニペット（商標）などと呼ばれている留め具で固定した状態で、前記のようにしてビニールシート３を取付け固定する。なお、ネットも同時取付けする場合は、ビニールシート３とネットを重ねた状態で、押さえ板５でホルダーの凹溝中に押し込むことになる。ハウスに取付けるシートとして、ビニールシートを例にして説明したが、材質は合成樹脂シートであればよく、特にビニールに限定されない。
【産業上の利用可能性】
【００３７】
以上のように、本発明による樹脂シート取付け具によると、帯板状の長い押さえ板で合成樹脂シートをホルダーの凹溝中に押し込んで、上から押さえ器を嵌め込んで固定する構造になっている。したがって、三角波バネからなる長い線材と違って、保管時その他の取り扱いが簡便となり、しかも安全である。さらに、小型で安価に製造できるので、普及が期待でき、園芸や農業の生産増加が期待できる。
【図面の簡単な説明】
【００３８】
【図１】従来のビニールシート取付け構造を示す斜視図と断面図である。
【図２】本発明による樹脂シート取付け具の分解斜視図である。
【図３】ホルダーの各種実施形態を示す断面図であり、（１）はコ字状側壁の例、（２）は中間にも内向き凸条を有する実施形態である。
【図４】Ｖ状板からなる押さえ器の斜視図である。
【図５】Ｖ状板の押さえ器の装着状態の平面図である。
【図６】立て板状押さえ器の実施形態を示す断面図である。
【図７】立て板状押さえ器の装着状態の平面図である。
【図８】箱形の押さえ器の実施形態を示す斜視図である。
【図９】突起付き押さえ器の実施形態を示す断面図と側面図である。
【符号の説明】
【００３９】
１  ホルダー
２  凹溝
３  ビニールシート
４  三角波バネ
５  押さえ板
６  押さえ器
７・７ａ  内向き凸条
８  底板
９  凹溝側壁
１０  Ｖ状板
１１・１２  逃げ凹部
１３  立て板状の押さえ器
１４  逃げ凹部
１５  切り込み
１６  下面
１７  箱状の押さえ器
１８  突起
【図１】
2005237332.tif 000003
【図２】
2005237332.tif 000004
【図３】
2005237332.tif 000005
【図４】
2005237332.tif 000006
【図５】
2005237332.tif 000007
【図６】
2005237332.tif 000008
【図７】
2005237332.tif 000009
【図８】
2005237332.tif 000010
【図９】
2005237332.tif 000011